(57)【要約】【課題】  この発明は、立上がりコンクリート部におけるコンクリート打設前に縦筋と横筋に取付けて、その配筋状態が正しくその中央位置に配筋されているかるかどうかを確認できるＵ字状アンカーボルトの取付構造並びにその取付方法を提供するものである。【解決手段】  この発明に係るＵ字状アンカーボルトの取付構造は、ベースコンクリート部３から突出される縦筋６に直交状に配筋される横筋７を有する立上がりコンクリート部４のコンクリート打設時に、両側に設けられる型枠８の上端に渡し込んだ幅出プレート９により幅方向の中央部位に吊持されるＵ字状のアンカーボルト１の下半部１ａを横筋７に跨架してコンクリートが打設され、突出状に立設された上半部１ｂを立上がりコンクリート部４の上面に設けられた木製土台１２を貫通して、大判座金１５と小判座金１６を介して締着固定してなる。【選択図】      図１
2005282324.tif 000002
【特許請求の範囲】
【請求項１】
縦横に配筋される鉄筋を内臓したベースコンクリート部に立設される立上がりコンクリート部の生成時において、縦筋と直交状に配設される横筋が配筋されているコンクリート打設前に、正面視Ｕ字状のアンカーボルトを、両側に設けられる型枠の上端に渡し込んだ幅出プレートにより、その幅方向の中央部位に位置して吊持され、その下半部を前記横筋に跨架して取付け、コンクリートを打設して形成される立上がりコンクリート部にその下半部を埋設してなることを特徴とするＵ字状アンカーの取付構造。
【請求項２】
立上がりコンクリート部に突出状に立設された前記Ｕ字状のアンカーボルトの上半部を立上がりコンクリート部の上面に取付けられる木製土台を貫通して、この木製土台より僅かに小径とする幅を有する大判座金と２本の棒状部分にそれぞれ設けられる小判座金を介して締着してなることを特徴とする請求項１記載のＵ字状アンカーの取付構造。
【請求項３】
縦横に鉄筋を内臓したベースコンクリート部に立設され、該ベースコンクリート部から突出される縦筋とこの縦筋に直交状に配設される横筋を組み立て、その長さ方向の両側に型枠を設けて立上がりコンクリート部のスペースを形成する工程と、
両側の型枠の上端に渡し込んだ幅出プレートに幅方向の中央部位に位置して吊持される正面視Ｕ字状のアンカーボルトを、その下半部を前記横筋に跨架して取付ける工程と、
コンクリートを打設して立上がりコンクリート部を生成してＵ字状のアンカーボルトの下半部を埋設固定してなる工程と、
立上がりコンクリート部に突出状に立設されたＵ字状のアンカーボルトの上半部を立上がりコンクリート部の上面に取付けられる木製土台を貫通して、この木製土台より僅かに小径とする幅を有する大判座金と２本の棒状部分にそれぞれ設けられる小判座金を介して締着する工程とを含むＵ字状アンカーの取付方法。
【発明の詳細な説明】
【技術分野】
【０００１】  本発明は建物とくに戸建住宅の基礎部分に使用されるＵ字状のアンカーボルトの取付構造並びにその取付方法に関する。
【背景技術】
【０００２】  従来、この種の建物とくに戸建住宅の基礎部に設けられるアンカーボルト３０は、図４に示すように、ベースコンクリート部３１の立上がりコンクリート部３２に埋設される根元側を横向きに折り曲げた棒状体が用いられて、立上がりコンクリート部３２が生乾きの状態で水糸等を介して適宜間隔で差し筋、いわゆる田植えと呼ばれている作業で埋設されていた（例えば、非特許文献１参照。）。
【非特許文献１】    畑中和穂著「図解建築の型わく工事」理工学社発行、１９９７年９月２５日Ｐ．１０６
【発明の開示】
【発明が解決しようとする課題】
【０００３】  従来の建築物とくに戸建住宅の基礎部は、縦筋と横筋とからなる鉄筋にコンクリートを打設したベースコンクリート部３１及び立上がりコンクリート部３２からなり、コンクリートを打設する前の縦筋と横筋が配筋された状態で検査されていた。
このため鉄筋はベースコンクリート部３１のコンクリートが打設され、次いで立上がりコンクリート部３２のコンクリートが打設された後の状態では、この配筋が何等かの原因で部分的に一方の側面側に片寄っていても、コンクリートを打設した後では見つけることができず、その配筋状態までを検査することができなかった。【０００４】  また、アンカーボルトの取付作業においても、上述のように、立上がりコンクリート部３２の生乾きの状態で差し込み作業で行われているため、基礎部の配筋の配列状態が正しく行われているかどうかを確認することができなかった。【０００５】  その結果基礎部とくに立上がりコンクリート部３２において一方の側のコンクリート厚が薄くなる、すなわち、かぶりがなくなる不均衡な状態になって、均一な強度が得られなくなり、基礎部の劣化を生じさせる原因ともなっていた。【０００６】  さらに、上述したアンカーボルトを植設して差し込んでいたため、横向きとなっているその根元側のアンカー部分の裏側が空洞化し易く、立上がりコンクリート部の生成状態における基礎部の強度劣化とともにアンカーボルトの強度劣化の原因となってこの基礎部に取付けられる木製土台をしっかりと固定することができない施工がみられた。【０００７】  本発明は、アンカーボルト自体の強度を高めて３階ばかりでなく近々予定されている４階の木造住宅にも耐え得るとともに、その取付け作業において、立上がりコンクリート部におけるコンクリート打設前に配筋とくに横筋に取付けることにより、鉄筋の配筋状態が正しくその中央に位置されているかるかどうかを目視し確認できるゲージ機能を備えたＵ字状アンカーボルトの取付構造並びにその取付方法を提供するものである。
【課題を解決するための手段】
【０００８】  本発明に係るＵ字状アンカーの取付構造は、縦横に配筋される鉄筋を内臓したベースコンクリート部に立設される立上がりコンクリート部の生成時において、縦筋と直交状に配設される横筋が配筋されているコンクリート打設前に、正面視Ｕ字状のアンカーボルトを、両側に設けられる型枠の上端に渡し込んだ幅出プレートにより、その幅方向の中央部位に位置して吊持され、その下半部を前記横筋に跨架して取付け、コンクリートを打設して形成される立上がりコンクリート部にその下半部を埋設してなることを特徴とするものである。【０００９】  さらに、本発明に係るＵ字状アンカーの取付構造は、立上がりコンクリート部に突出状に立設された前記Ｕ字状のアンカーボルトの上半部を立上がりコンクリート部の上面に取付けられる木製土台を貫通して、この木製土台より僅かに小径とする幅を有する大判座金と２本の棒状部分にそれぞれ設けられる小判座金を介して締着してなることを特徴とするものである。【００１０】  さらに、本発明に係るＵ字状アンカーの取付方法は、縦横に鉄筋を内臓したベースコンクリート部に立設され、該ベースコンクリート部から突出される縦筋とこの縦筋に直交状に配設される横筋を組み立て、その長さ方向の両側に型枠を形成して立上がりコンクリート部のスペースを形成する工程と、両側の型枠の上端に渡し込んだ幅出プレートに幅方向の中央部位に位置して吊持される正面視Ｕ字状のアンカーボルトをその下半部を前記横筋に跨架して取付ける工程と、コンクリートを打設して立上がりコンクリート部を生成し、Ｕ字状のアンカーボルトの下半部を埋設固定してなる工程と、突出状に立設されたＵ字状のアンカーボルトの上半部を立上がりコンクリート部の上面に取付けられる木製土台を貫通して、この木製土台より僅かに小径とする幅を有する大判座金と２本の棒状部分にそれぞれ設けられる小判座金を介して締着する工程とを含むことを特徴とするものである。
【発明の効果】
【００１１】  本発明に係るＵ字状アンカーボルトの取付構造並びにその取付方法によれば、アンカーボルトは正面視Ｕ字状に形成されているとともに立上がりコンクリート部の配筋に取付けられてコンクリート打設時に正確に埋設されて、その強度アップを図って、３階のみならず新たな４階建ての戸建住宅に耐え得ることができるものである。【００１２】  さらに、型枠の上端に渡し込んだ幅出プレートに幅方向の中央部位に位置して吊持されたＵ字状のアンカーボルトを、立上がりコンクリート部に設けられる縦筋に直交状に配筋される横筋に跨架して取付けられるもので、Ｕ字状のアンカーボルトを取付けることによって縦筋と横筋の配列状態が正常かどうかが確認され、Ｕ字状のアンカーボルトばかりでなく立上がりコンクリート部の配筋が常にセンターに位置されて、コンクリートのかぶりを均衡に保ち、強度を均一に保持することができる。【００１３】  さらに、立上がりコンクリート部に突出状に立設されたＵ字状のアンカーボルトは立上がりコンクリート部の上面に取付けられる木製土台を貫通して、この木製土台より僅かに小径とする幅を有する大判座金と２本の棒状部分にそれぞれ設けられる小判座金を介して締着されていることにより、外力によ荷重が大判座金により均一に分散して偏荷重による強度劣化を防止することができる。【００１４】  さらに、Ｕ字状のアンカーボルトは幅出しプレートで正確に位置出しされて吊時されまた横筋を跨架する構造となっていることにより、簡便な作業で容易に正確に取付けることができる。
【発明を実施するための最良の手段】
【００１５】  図１は、基礎部へのＵ字状のアンカーボルトの取付状態の断面構造を示す略示図であり、図２は、Ｕ字状のアンカーボルトを示す正面図であり、図３は、Ｕ字状のアンカーボルトによる木製土台の取付状態の断面構造を示す略示図である。
【００１６】  主として戸建住宅の基礎部１０に用いられるアンカーボルト１は、図２に示すように、折り返し部分を有する下半部１ａとこの下半部１ａに連続されその先端側に螺子部２を設けた２本の棒状部分を有する上半部１ｂとにより、正面視Ｕ字状に形成されている。
【００１７】  このＵ字状のアンカーボルト１は、図１に示すように、ベースコンクリート部３と立上がりコンクリート部４よりなる基礎部１０を形成する際に組み込まれて、その下半部１ａを埋設して固定されるものである。
【００１８】  すなわち、Ｕ字状のアンカーボルト１は、縦横に鉄筋５を内臓して形成されるベースコンクリート部３に立設される立上がりコンクリート部４を形成されるスペースに前記ベースコンクリート部３から上方に突出される縦筋６とこの縦筋６に直交状に配筋される横筋７が形成され、型枠８が長さ方向の両側に設けられた状態で取付けられる。
【００１９】  Ｕ字状のアンカーボルト１は、型枠８の上端に適宜間隔をもって渡し込まれる幅出プレート９に穿設された通孔１１に、この上半部１ｂの棒状部分を挿通して鉛直状に吊持されて、その折り返し部分を有する下半部１ａを立上がりコンクリート部４の横筋７に跨架して、その幅方向の中央部位に位置されるように取付けられる。
【００２０】  このようにしてＵ字状のアンカーボルト１を正確に幅方向の中央に取付けることによって、立上がりコンクリート部４の横筋７と縦筋６の配筋が幅方向のいずれか一方に片寄ってコンクリートのかぶりが不均衡の状態や、アンカーボルト１の強度低下を招く不具合をその配筋状態で検出できるゲージとしての機能を果すものである。
【００２１】  このようにＵ字状のアンカーボルト１が正確に取付けられた状態で、コンクリートが打設されて立上がりコンクリート部４が生成され、Ｕ字状のアンカーボルト１の下半部１ａが、その中央部位に正確に埋設して固定される。
【００２２】  次ぎに、図３に示すように、Ｕ字状のアンカーボルト１の下半部１ａを埋設して固化された立上がりコンクリート部４の上面に木製土台１２が、上半部１ｂを突出状に立設したＵ字状アンカーボルト１により取付けられる。
【００２３】  この木製土台１２は、対応位置に穿設された挿通孔１３にＵ字状アンカーボルト１の上半部１ｂの棒状部分を貫通して、ゴムパッキン１４を介して立上がりコンクリート部４の上面に略同一幅を有してその長さ方向に載置される。
【００２４】  木製土台１２を貫通したＵ字状アンカーボルト１は、この木製土台１２より僅かに小径とする幅を有する大判座金１５と２本の棒状部分にそれぞれ設けられる小判座金１６を介してナット１７で締着して木製土台１２をしっかりと固定するものである。
【図面の簡単な説明】
【００２５】
【図１】  基礎部へのＵ字状のアンカーボルトの取付状態の断面構造を示す略示図である。
【図２】  Ｕ字状のアンカーボルトを示す正面図である。
【図３】  Ｕ字状のアンカーボルトによる木製土台の取付状態の断面構造を示す略示図である。
【図４】  従来例を示す説明図である。
【符号の説明】
【００２６】  １    Ｕ字状のアンカーボルト
１ａ  Ｕ字状のアンカーボルト１の下半部
１ｂ  Ｕ字状のアンカーボルト１の上半部
２    Ｕ字状のアンカーボルト１の螺子部
３    ベースコンクリート部
４    立ち上がりコンクリート部
５    ベースコンクリート部３の鉄筋
６    立ち上がりコンクリート部４の縦筋
７    立ち上がりコンクリート部４の横筋
８    型枠
９    幅出しプレート
１０  基礎部
１１  幅出しプレートの通孔
１２  木製土台
１３  木製土台１２の挿通孔
１４  ゴムパッキン
１５  大判座金
１６  小判座金
１７  ナット
【図１】
2005282324.tif 000003
【図２】
2005282324.tif 000004
【図３】
2005282324.tif 000005
【図４】
2005282324.tif 000006